(57)【要約】      （修正有）【課題】電気部品が異常発熱した場合でも、箱外への影響を防止できると共に電装品の損壊や誤動作を防止できる空気調和機の電装品箱を提出する。【解決手段】電装品箱１の上面を閉鎖する蓋５を備え、電装品が装着された電子制御板２を収納する内箱部３と前記内箱部の外周に沿って空間部を設けて包囲された外箱部４からなる二重構造で覆われた電装品箱において、上記内箱部に一箇所以上の開口部を設けた構成としたことを特徴とする。【選択図】図１
2008196767.tif 000002
【特許請求の範囲】
【請求項１】
電装品箱の上面を閉鎖する蓋を備え、電装品が装着された電子制御板を収納する内箱部と前記内箱部の外周に沿って空間部を設けて包囲された外箱部からなる二重構造で覆われた電装品箱において、上記内箱部に一箇所以上の開口部を設けた空気調和機の電装品箱。
【請求項２】
前記内箱部の開口部に補強リブを複数本並設されていることを特徴とする請求項１に記載の空気調和機の電装品箱。
【発明の詳細な説明】
【技術分野】
【０００１】
この発明は、空気調和機の室外機に備えられる電装品箱に関するものである。
【背景技術】
【０００２】
従来、この種の電装品箱は、合成樹脂等で構成されており、電装品箱には各種の電装品が収納され、これら電装品のなかには発熱部品もある。そのため、電装品箱内がいわゆる密閉状体となって、発熱部品（電子部品）は発熱して温度が次第に上昇していく。このため、電子部品が、損壊したり、電子部品としての本来の機能を発揮できなくなったりして、この空気調和機が正常に駆動しなくなるおそれがあった。
【０００３】
そこで、従来では、電装品箱に冷却用の空気を流入させるために、空気抜き孔を設けていた（例えば、特許文献１参照）。
【特許文献１】特開２００１−９１０３０号公報
【発明の開示】
【発明が解決しようとする課題】
【０００４】
上記従来の電装品箱においては、収納された電気部品が故障その他の理由で異常発熱して箱内が高温になることがあり、このような場合、従来の電装品箱では空気抜き孔を通してその影響が電装品箱の外に及んでしまうという問題点があった。
【０００５】
本発明は上記のような問題点を解決し、電気部品が異常発熱した場合でも、箱外への影響を防止できると共に電装品の損壊や誤動作を防止できる空気調和機の電装品箱を提出することを目的とするものである。
【課題を解決するための手段】
【０００６】
上記従来の課題を解決するために、本発明の空気調和機は、電装品箱の上面を閉鎖する蓋を備え、電装品が装着された電子制御板を収納する内箱部と前記内箱部の外周に沿って空間部を設けて包囲された外箱部からなる二重構造で覆われた電装品箱において、上記内箱部に一箇所以上の開口部を設けたものである。
【発明の効果】
【０００７】
本願発明によれば、電装品箱の上面を閉鎖する蓋を備え、電装品が装着された電子制御板を収納する内箱部と前記内箱部の外周に沿って空間部を設けて包囲された外箱部からなる二重構造で覆われた電装品箱において、上記内箱部に一箇所以上の開口部を設けているため、上記外箱部の空間部から上記内箱部の開口部に空気が流入することによって電装品を冷却することができる。
【０００８】
このため、電装品の損壊や誤動作を防止でき、この空気調和機は長期にわたって安定した運転を行うことができる。また、万一電子制御板が高温になった場合であっても、電装品箱は蓋で覆われており、電子制御板は内箱部と外箱部の二重構造の電装品箱に収納されているため、電装品箱の周囲への影響を防止することができる。
【発明を実施するための最良の形態】
【０００９】
第１の発明は、電装品箱の上面を閉鎖する蓋を備え、電装品が装着された電子制御板を収納する内箱部と前記内箱部の外周に沿って空間部を設けて包囲された外箱部からなる二重構造で覆われた電装品箱において、上記内箱部に一箇所以上の開口部を設けた構成としたことを特徴とする。
【００１０】
上記構成によれば、上記外箱部との空間部から上記内箱部の開口部に空気が流入することによって電装品を冷却することができる。このため、電装品の損壊や誤動作を防止でき、この空気調和機は長期にわたって安定した運転を行うことができる。また、万一電子制御板が高温になった場合であっても、電装品箱は蓋で覆われており、電子制御板は内箱部と外箱部の二重構造の電装品箱に収納されているため、電装品箱の周囲への影響を防止することができる。
【００１１】
第２の発明は、前記内箱部の開口部に補強リブを複数本並設されている構成としたことを特徴とする。上記構成によれば、各補強リブにより、開口部周辺の強度が増加し、全体の強度を維持させることができる。
【００１２】
以下、本発明の実施の形態について、図面を参照しながら説明する。なお、この実施の形態によって本発明が限定されるものではない。
【００１３】
（実施の形態１）
図１は本発明の実施の形態１による電装品箱の分解斜視図、図２は本発明の実施の形態１による電装品箱の要部簡略分解斜視図である。
【００１４】
図１と図２に示すように、電子制御板２は電子制御板２を収納する内箱部３と内箱部３の外周に沿って空間部７を設けて包囲するように外箱部４を備えた二重構造で覆われた電装品箱１によって収納されている。また、電子制御板２の表面に水やほこりが浸入するのを防ぐため、電装品箱１の上面を閉鎖するように蓋５で覆われている。
【００１５】
電子制御板２を完全に密閉してしまうと電子制御板２のなかには発熱部品もあるため、電子制御板１が収納されている内箱部３の内部は発熱部品（電子部品）の発熱により温度が次第に上昇してしまうおそれがあるため、内箱部３の外周に沿って空間部７を設けて包囲するように外箱部４を設けており、その空間部７の冷えた空気が内箱部３の開口部６より空気が流入する構成としている。
【００１６】
以上のように、本実施の形態において内箱部３に空間部７を設けることにより、電子制御板２を冷却することができる。
【００１７】
その結果、電装品の損壊や誤動作を防止でき、この空気調和機は長期にわたって安定した運転を行うことができる。また、万一電子制御板２が高温になった場合であっても、電装品箱１は蓋５で覆われており、電子制御板２は内箱部３と外箱部４の二重構造の電装品箱１に収納されているため、電装品箱１の周囲への影響を防止することができる。
【００１８】
（実施の形態２）
以下、本発明の係る第２の実施の形態を説明する。なお、第２の実施の形態の基本的構成は、前記した第１の実施の形態と同一であり、第１の実施の形態と同一部品には同一の符号を寄与してその説明を省略する。
【００１９】
図３は本発明の実施の形態２による電装品箱の要部簡略分解斜視図である。内箱部３の開口部６に補強リブ８を複数本並設されている構成としている。
【００２０】
以上のように、本実施の形態において補強リブ８を設けることで、開口部６周辺の強度が増加し、電装品箱１の強度を維持させることができる。その結果、材料費の削減によりコストダウンが図れる。
【産業上の利用可能性】
【００２１】
本発明は、空気調和機の室外機に備えられる電装品箱に適用できるものである。
【図面の簡単な説明】
【００２２】
【図１】本発明の実施の形態１における空気調和機の室外機の電装品箱の分解斜視図
【図２】本発明の実施の形態１における電装品箱の要部簡略分解斜視図
【図３】本発明の実施の形態２における電装品箱の要部簡略分解斜視図
【符号の説明】
【００２３】
１  電装品箱
２  電子制御板
３  内箱部
４  外箱部
５  蓋
６  開口部
７  空間部
８  補強リブ
【図１】
2008196767.tif 000003
【図２】
2008196767.tif 000004
【図３】
2008196767.tif 000005